(57)【要約】【課題】風合いが柔らかくて光る繊維や糸。【解決手段】繊維素材は、透明度の高い、リポソーム処理された改質剤で改質された高強度透明ポリアミド繊維を用いる。紡糸口金は頂点が９３度の二等辺三角形貫通孔を、頂点を中心部に向けて１２０度の位置関係に並べて紡糸する。紡糸後の糸断面は図４に示す。３本の頂点の角度合計が２７９°であるため各空気層は平均２７°の間隙をもつこととなり、各繊維の接触による光の抜けを小さくすることができるため、入射光は再帰全反射して室内の照明色にキラキラ輝く。【選択図】図４
2010163730.tif 000002
【特許請求の範囲】
【請求項１】
透明または半透明の素材からなる繊維または糸において、該繊維または該糸の断面形状が、多角形で、任意の隣接する辺のなす角の角度を２θ、該素材と空気の光学的臨界角をαとしたとき、（９０°−α）≧θ≧（３０°＋α）とし、このθ条件を満たす角部（以下、「再帰反射角部」と呼ぶ）を繊維または糸の中心部に配向させてなり、再帰反射角部に対向する光の入射表面は再帰反射角部からの反射光に対して垂直な平面または曲面か、あるいは入射表面が角部の場合は、角部角度を２θとした時、θ＜（３０°＋α）または、θ＞（９０°−α）としたことを特徴とする光を全反射する繊維または糸。
【請求項２】
繊維または糸断面を中空構造ことを特徴とする請求項１に記載の光を全反射する繊維または糸。
【請求項３】
透明または半透明の素材からなる繊維において、該繊維の断面形状が、多角形であり、再帰反射角部を繊維束中心部に配向させてなり、繊維束を構成する繊維の本数をＰとし、再帰反射角部の角度をωとし、ω＝９０°の場合はＰ＝３またはＰ＝５とし、ω≠９０°の場合はＰ＝３またはＰ＝４またはＰ＝５とすることを特徴とする請求項１に記載の光を全反射する繊維または糸。
【発明の詳細な説明】
【技術分野】
【０００１】  衣類や繊維製品を光らせることで意匠的価値を高める繊維関連技術。
【背景技術】
【０００２】  現在、ラメや金糸、銀糸など光る糸や布がある。また、下記特許文献１によれば、直角三角形断面形状の繊維とすることで光を全反射させる技術が開示されている。【０００３】
【特許文献１】特開２０００−２４８４１９
【発明の開示】
【発明が解決しようとする課題】
【０００４】  現在の金属箔などを付着させた糸などは風合いが硬く、また、特許文献１では、三角断面中１面しか光らないため、特に素材の透明度が悪い場合は、数十本拠り合わせた時に光らない部分が多く、乱反射して単に白く見えるだけであまり効果がない。透明度が高い場合でも、光る部分が少なく、効果が限定的であった。
【課題を解決するための手段】
【０００５】  図１及び図２は、本発明の一例を説明する断面説明図である。１０１、２０１は繊維内葉、１０２、２０２は中空部である。図３は図２の内葉（２０１）の拡大断面説明図である。３０１は繊維内葉、３０２は中空部、ａ〜ｃは内葉の各変曲点である。図４、図５及び図６は本発明の他の例を説明する断面概念説明図である。４０１、５０１、６０１は単繊維断面、４０２、５０２、６０２は空気層である。【０００６】  第一の手段は、透明または半透明の素材からなる繊維または糸において、該繊維または該糸の断面形状が、多角形で、任意の隣接する辺のなす角の角度を２θ、該素材と空気の光学的臨界角をαとしたとき、（９０°−α）≧θ≧（３０°＋α）とし、このθ条件を満たす角部（以下、「再帰反射角部」と呼ぶ）を繊維または糸の中心部に配向させてなり、再帰反射角部に対向する光の入射表面は再帰反射角部からの反射光に対して垂直な平面または曲面か、あるいは入射表面が角部の場合は、角部角度を２θとした時、θ＜（３０°＋α）または、θ＞（９０°−α）としたことを特徴とする光を全反射する繊維または糸。【０００７】  本手段では、繊維または糸表面から中心部に向かう入射光が空気との境界面で再帰全反射し、再び入射表面に戻る。この時、入射表面は反射光に対して垂直な平面または曲面が望ましい。入射表面が角部の場合は、角部角度を２θとした時、θ＜（３０°＋α）または、θ＞（９０°−α）の条件を満たす場合、入射光が表面外部へ再帰全反射する。図３の∠ａｂｃを｛２×（９０°−α）｝以下にすることで、表面に垂直な入射光が空気繊維境界面とのなす入射角度が臨界角を超えるため内部で全反射する。また、｛２×（３０°＋α）｝以上であれば、入射方向に近い表面方向へ再帰する。反射光は再帰した表面が入射光に垂直な平面や曲面の場合、外部へ抜ける。角部であっても前記条件であれば同様の理由で外部に抜けて再帰全反射となる。尚、本編で言う「配向」とは分子の向きではなく、繊維又は糸横断面における再帰反射角部の向きを言う。【０００８】  第二の手段は、繊維または糸断面を中空構造ことを特徴とする光を全反射する第一の手段の繊維または糸。【０００９】  本手段では、繊維や糸を中空にすることで中空部に空気を保持することで、各葉と空気層が隣接する位置関係に置くことができ、内葉同士の接触による光抜けを防止することができ、常に安定した再帰反射を実現できる。本手段の一例では、図１の如く内向きに４葉形状とすることで、４方からの入射光を再帰反射させることができる。図２の例では１１葉としたことで、１１方向からの入射光を再帰反射させることができる。また、中空部を大きく取ることが可能なため保温性や吸湿性等中空繊維としての機能を十分発揮することができる。【００１０】  第三の手段は、透明または半透明の素材からなる繊維において、該繊維の断面形状が、多角形であり、再帰反射角部を繊維束中心部に配向させてなり、繊維束を構成する繊維の本数をＰとし、再帰反射角部の角度をωとし、ω＝９０°の場合はＰ＝３またはＰ＝５とし、ω≠９０°の場合はＰ＝３またはＰ＝４またはＰ＝５とすることを特徴とする光を全反射する第一の手段の繊維または糸。【００１１】  本手段では、紡糸・紡績時���繊維束を形成するが、繊維束をＰω≠３６０°にすることで、繊維間に間隙が生じる。即ち、Ｐ＝３またはω＜９０°でＰ＝４の場合、空気層が図４の如く表層部付近に生じる。また、Ｐ＝５またはω＞９０°でＰ＝４の場合は、図５または図６のように繊維束中心付近に空気層が発生する。いずれの場合も空気層が各繊維の間隙に生じるため入射光の抜けが少なくなり、より明るく光る。また、Ｐω≠３６０°でＰωを３６０°に近づけるＰとすることで、繊維束中の各繊維の変形を小さくしたり、この繊維束を数束撚糸して糸を製造するとき、他の繊維束の角が間隙に侵入するのをある程度防止したりすることが可能となり、光の抜けを小さくすることができる。また、繊維断面形状は三角形または五角形が望ましい。
【発明の効果】
【００１２】  再帰反射角部を糸や繊維の中心に向けて配向させて表面を覆うことで表面に広く反射面を設けることができ、より明るく輝く。また、再帰反射角部の角度を３６０°に一致させないことで、繊維間に空隙を作り光の抜けを少なくして明るい反射が得られる。また、不一致角度を小さくすることで繊維断面形状の過度の変形を防止でき、安定した再帰全反射が得られる。これらの繊維や糸を用いて製造した衣類は、通常の繊維と変わらずに柔らかく、しかも周囲の光線を反射してキラキラ輝くため、意匠性を大きく向上させることができる。
【発明を実施するための最良の形態】
【００１３】  発明を実施するための最良の形態を実施例で説明する。図４は本実施例の一例を説明する断面説明図である。４０１は繊維内葉、４０２は空気層である。図７は図４の紡糸口金の平面断面説明図である。７０１は口金、７０２、７０３、７０４は貫通口である。表１は各種繊維素材の光学的物性を示す。【００１４】
【表１】
2010163730.tif 000003
【実施例１】
【００１５】  繊維素材は、透明度の高い、リポソーム処理された改質剤で改質された高強度透明ポリアミド繊維を用いる。紡糸口金は頂点が９３度の二等辺三角形貫通孔を、図７の７０２、７０３、７０４の如く頂点を中心部に向けて１２０度の位置関係に並べて紡糸する。紡糸後の糸断面は図４に示す。３本の繊維の頂点角度合計が２７９°であるため各空気層は平均２７°の間隙をもつこととなり、各繊維の接触による光の抜けを小さくすることができるため、入射光は再帰全反射して室内の照明色にキラキラ輝く。また頂点角度を再帰反射角度域の中央値付近とすることで外力による繊維断面形状の変形に起因する角度変化を吸収できる。【００１６】  本ポリアミド糸で編んだ編物や織った布帛で製造した衣類は、ラメや金属糸に比較して風合いも柔らかく、周囲の照明または環境色を全反射してキラキラ輝くため児童や高齢者の交通安全用衣服や舞台衣装、また、下着、ストッキング、カジュアルウェア等に用いられる。【００１７】  その他、リボンや紐、帆布、シート、テント、ロープ等に使用するとことができる。
【産業上の利用可能性】
【００１８】  繊維、糸、布、編み物、衣類、ロープ、紐、リボン、帆布、シート、テント等に利用される。
【図面の簡単な説明】
【００１９】
【図１】本発明の一例を説明する断面説明図である。
【図２】本発明の一例を説明する断面説明図である。
【図３】図２の内葉の拡大断面説明図である。
【図４】実施例１を説明する断面概念説明図である。
【図５】本発明の他の例を説明する断面概念説明図である。
【図６】本発明の他の例を説明する断面概念説明図である。
【図７】実施例１を説明する断面概念説明図である。
【符号の説明】
【００２０】    １０１、２０１、３０１  繊維内葉
１０２、２０２、３０２  中空部
４０１、５０１、６０１  単繊維断面
４０２、５０２、６０２  空気層
７０１  紡糸口金
７０２、７０３、７０４  貫通孔
ａ〜ｃ  内葉の各変曲点
θ  光線と反射面のなす角度
α  臨界角
Ｐ  繊維の本数
ω  再帰反射角部の角度
【図１】
2010163730.tif 000004
【図２】
2010163730.tif 000005
【図３】
2010163730.tif 000006
【図４】
2010163730.tif 000007
【図５】
2010163730.tif 000008
【図６】
2010163730.tif 000009
【図７】
2010163730.tif 000010